(57)【要約】【課題】媒体の収容が容易であるとともに、汎用性及び耐久性に優れ、しかも、媒体へ与える外部環境の影響を極力抑えることが可能なカセット及び記録装置を提供する。【解決手段】用紙を積層状態で収容可能な収容空間を有するカセット本体５１と、カセット本体５１の開放された上部を覆う蓋部５２とから用紙カセット５を構成する。一辺がカセット本体５１に対して回動可能に連結された蓋本体６１と、プリンタに設けられたカセット装填部への装填時にプリンタの係合片に係合して蓋本体６１に対してカセット装填部への装填方向後方側へスライド可能なスライド蓋６２とから蓋部５２を構成する。【選択図】図３
2008063030.tif 000002
【特許請求の範囲】
【請求項１】
シート状の媒体を積層状態で収容可能な収容空間を有するカセット本体と、前記カセット本体の開放された上部を覆う蓋部とを備え、記録装置の装填部に差し込まれた状態にて前記記録装置の給紙機構によって前記媒体が引き出されるカセットであって、
前記蓋部は、一辺が前記カセット本体に対して回動可能に連結された蓋本体と、前記装填部への装填時に前記記録装置の一部に係合して前記蓋本体に対して前記装填部への装填方向後方側へスライド可能なスライド蓋とを有することを特徴とするカセット。
【請求項２】
前記蓋部には、前記スライド蓋を、前記装填部への装填方向前方側へ付勢する付勢部材が設けられていることを特徴とする請求項１に記載のカセット。
【請求項３】
前記蓋部は、前記装填部への装填状態にて前記装填部の周囲と前記蓋本体の係合により、前記カセット本体に対する回動が規制されることを特徴とする請求項１または請求項２に記載のカセット。
【請求項４】
前記蓋部は、断熱性を有することを特徴とする請求項１から３のいずれか１項に記載のカセット。
【請求項５】
前記カセット本体には、前記装填部への装填方向及び装填方向に直交する方向に沿ってスライド可能なスライドガイドが設けられ、これらスライドガイドをスライドさせることにより、前記収容空間内における前記媒体が収容される領域のサイズが変更されることを特徴とする請求項１から４のいずれか１項に記載のカセット。
【請求項６】
前記蓋部は、前記スライド蓋が複数設けられ、これらスライド蓋同士が互いにスライド可能に保持されていることを特徴とする請求項１から５のいずれか１項に記載のカセット。
【請求項７】
前記カセット本体は、その後端側が伸縮可能とされ、前記蓋本体の後端には、前記カセット本体の伸縮にともなってスライドする後方スライド蓋が設けられていることを特徴とする請求項１から６のいずれか１項に記載のカセット。
【請求項８】
請求項１から７のいずれか１項に記載のカセットが装填可能な装填部と、前記装填部に装填された前記カセット内の媒体を搬送しながら前記媒体に記録を行う記録処理部とを備えたことを特徴とする記録装置。
【発明の詳細な説明】
【技術分野】
【０００１】
本発明は、用紙等のシート状の媒体を積層させて収容するカセット及び記録装置に関する。
【背景技術】
【０００２】
プリンタ、複写機あるいはファクシミリ等のシート状の媒体である用紙に文字や画像を記録する記録装置では、用紙を積層状態で収容するカセットが用いられ、このカセットを記録装置の装填口へ装填した状態にて、カセット内の用紙を繰り出す構造を備えている。
この用紙を収容するカセットとして、記録装置への装填時に、記録装置の本体から突出している部位のみを蓋によって覆ったものが一般的であるが、この場合、記録装置から取り外した状態での保管時に、外気温や湿気などの外部環境が用紙へ影響したり、内部に塵埃などの異物が入り込み、記録処理に不具合を与えてしまう。
このため、カセットを先端部分のみが開口した箱形に形成し、先端の開口部分を開閉する蓋を有するカバーを設け、記録装置から取り外した状態にて蓋が閉まる構造のカセットが開発されている（例えば、特許文献１参照）。
【特許文献１】特開平５−２１３４５８号公報
【発明の開示】
【発明が解決しようとする課題】
【０００３】
しかし、上記構造のカセットでは、先端部を除く全体を覆った箱形構造であるため、用紙の収容は、カバーをスライドさせて蓋を開き、カセットの先端の開口部分から積層させた用紙を差し込まなければならず、収容作業に手間を要する。
また、カセットには、異なるサイズの用紙に適用させるため、用紙のサイズに合わせてスライドさせることにより、収容領域を変更するガイドを設けるが、全体を覆った箱形構造では、このガイドを設けることができず、したがって、この構造では、特定サイズの用紙の専用のカセットとせざるを得ず、汎用性に欠けるものとなってしまう。
また、上記カセットでは、蓋の開閉時に用紙が送り出される先端部が蓋との干渉によって損傷し、用紙の送り出しに支障を来す恐れもある。
さらに、上記カセットは、その先端の開口部を覆う蓋を備えたカバーにロック機構を設け、記録装置へのカセットの脱着時に、ロック機構のフックをカセット本体に係脱させてカバーのロック及びその解除を行わせるものであるため、フックが磨耗し易く、このため、カセット自体の耐久性に乏しいものであった。
【０００４】
本発明は、上記事情に鑑みてなされたもので、媒体の収容が容易であるとともに、汎用性及び耐久性に優れ、しかも、媒体へ与える外部環境の影響を極力抑えることが可能なカセット及び記録装置を提供することを目的としている。
【課題を解決するための手段】
【０００５】
上記目的を達成するために、本発明のカセットは、シート状の媒体を積層状態で収容可能な収容空間を有するカセット本体と、前記カセット本体の開放された上部を覆う蓋部とを備え、記録装置の装填部に差し込まれた状態にて前記記録装置の給紙機構によって前記媒体が引き出されるカセットであって、前記蓋部は、一辺が前記カセット本体に対して回動可能に連結された蓋本体と、前記装填部への装填時に前記記録装置の一部に係合して前記蓋本体に対して前記装填部への装填方向後方側へスライド可能なスライド蓋とを有することを特徴とする。
【０００６】
この構成のカセットによれば、カセット本体の上部を覆う蓋部によって媒体の収容空間が閉鎖されるので、温度や湿気などの外部環境による媒体への影響や塵埃などの異物の侵入を極力抑えることができ、媒体の変質や侵入した異物による搬送不良や記録処理不良をなくし、記録処理を円滑かつ良好に行うことができる。
また、蓋部は、その蓋本体の一辺がカセット本体に対して回動可能に連結されているので、カセット本体に対して蓋本体を回動させて収容空間を開放させることにより、収容空間内への媒体の収容作業を容易に行うことができ、また、蓋部がカセット本体に連結されているので、蓋部の紛失を防ぐことができる。
さらに、蓋部は、記録装置の装填部への装填時に記録装置の一部に係合して蓋本体に対して装填部への装填方向後方側へスライド可能なスライド蓋を有するので、記録装置への装填時にのみスライド蓋をスライドさせて収容空間を露出させ、記録装置から取り外した保管時における収容空間の開放による媒体の露出を防止することができ、外部環境による媒体への影響を確実に抑えることができる。
しかも、スライド蓋が記録装置の一部に係合してスライドされる構造とされ、このスライド蓋の開閉時に、スライド蓋がカセット本体に干渉することがないので、スライド蓋の開閉によりカセット本体が損傷することがなく、したがって、カセット本体の損傷による媒体の送り出し不良を防止することができる。
【０００７】
また、前記蓋部には、前記スライド蓋を、前記装填部への装填方向前方側へ付勢する付勢部材が設けられていることが好ましい。
この構成によれば、装填部からの取り外しによってスライド蓋が付勢部材によって装填方向前方側へスライドされるので、装填部から取り外した状態にて、カセット本体の収容空間を確実に閉鎖することができる。
しかも、付勢部材の付勢力によってスライド蓋の閉鎖状態を維持させることができるので、磨耗し易いフックなどを備えた複雑構造のロック機構を不要とすることができ、耐久性に優れたものとすることができる。
【０００８】
さらに、前記蓋部は、前記装填部への装填状態にて前記装填部の周囲との前記蓋本体の係合により、前記カセット本体に対する回動が規制されることが好ましい。
この構成によれば、装填部への装填状態にて蓋部の回動が規制されるので、記録処理動作中における媒体の継ぎ足しなどによって生じる媒体の搬送不良や記録処理不良を確実に防止することができる。
【０００９】
また、前記蓋部は、断熱性を有することが望ましい。
この構成によれば、蓋部が断熱性を有しているので、特に保管時に外部環境の影響を受け易い積層状態における最上部の媒体を良好に保護することができる。
【００１０】
また、前記カセット本体には、前記装填部への装填方向及び装填方向に直交する方向に沿ってスライド可能なスライドガイドが設けられ、これらスライドガイドをスライドさせることにより、前記収容空間内における前記媒体が収容される領域のサイズが変更されることが好ましい。
この構成によれば、蓋部を回動させてカセット本体の上部を開放させた状態にて、スライドガイドを操作することにより、媒体のサイズに合わせて収容空間における媒体の収容領域を容易に調整・変更することができる。
これにより、サイズの異なる各種の媒体に容易に適用させることができ、汎用性を高めることができる。
【００１１】
また、前記蓋部は、前記スライド蓋が複数設けられ、これらスライド蓋同士が互いにスライド可能に保持されていることが望ましい。
この構成によれば、複数のスライド蓋がスライドする構造であるので、カセット本体の収容空間の開閉を容易に行わせることができ、また、スライド蓋を付勢する付勢部材を設ける場合は、各スライド蓋を付勢する複数の付勢部材を設けることとなり、全体の付勢力を低減させ、スライド蓋の装填方向後方へのスライドのさらなる容易化を図ることができる。
【００１２】
また、前記カセット本体は、その後端側が伸縮可能とされ、前記蓋本体の後端には、前記カセット本体の伸縮にともなってスライドする後方スライド蓋が設けられていることが好ましい。
この構成によれば、カセット本体の後端を伸縮せることにより、サイズの異なる各種の媒体に対する適用性をさらに高めることができ、また、カセット本体の伸縮にともなってスライドする後方スライド蓋が設けられているので、カセット本体の伸縮に関わらずカセット本体の後方側における上方を確実に閉鎖させた状態に維持することができ、外部環境の影響を抑えることができる。
【００１３】
また、本発明の記録装置は、上記カセットが装填可能な装填部と、前記装填部に装填された前記カセット内の媒体を搬送しながら前記媒体に記録を行う記録処理部とを備えたことを特徴とする。
この構成の記録装置によれば、温度や湿気などの外部環境による媒体への影響や塵埃などの異物の侵入を極力抑えることができるカセットを装填するので、媒体の変質や侵入した異物による搬送不良や記録処理不良を生じることなく、媒体への高品質な記録処理を円滑に行うことができる。
【発明を実施するための最良の形態】
【００１４】
以下、本発明の一実施形態に係るカセット及び記録装置について図面を参照しつつ詳細に説明する。
なお、本実施形態では、記録装置として印刷処理を行うインクジェットプリンタ等のプリンタを例示している。本発明の記録装置としては、プリンタ以外にも、例えば複写機あるいはファクシミリ等が挙げられる。また、本実施形態では、印刷を施すシート状の媒体として、用紙を例にとって説明する。
【００１５】
図１は本発明に係るプリンタの実施形態の外観斜視図であり、図２は図１に示したプリンタの内部を概略的に示す側断面図である。
本実施形態のプリンタ（記録装置）１は、フロント給紙・リア排紙タイプの業務用のインクジェット式プリンタであり、図１に示すように、装置ケース４の前面中央に、シート状の媒体である用紙を収容した用紙カセット（カセット）５が着脱自在に装填されている。
また、装置ケース４の後面には、印刷が終了した用紙を受ける排紙トレイ６が設けられている。
【００１６】
図２に示すように、装置ケース４は、カセット装填部（装填部）１１を有し、このカセット装填部１１に用紙カセット５が装填されるようになっている。カセット装填部１１に装填された用紙カセット５の用紙Ｐの上方位置には、揺動可能に支持されたフレーム１２の先端に設けられたピックアップローラ（給紙機構）１３が配置されている。そして、このピックアップローラ１３は、用紙カセット５の用紙Ｐの最上のものに当接することにより、用紙Ｐの最上のものを１枚ずつ後方へ繰り出し、後方側に設けられた給紙ローラ（給紙機構）１４とリタードローラ（給紙機構）１５との間へ送り込む。
【００１７】
給紙ローラ１４及びリタードローラ１５は、送り込まれた用紙Ｐを挟持しながら後方へ送り出すもので、これら給紙ローラ１４及びリタードローラ１５の後方には、用紙Ｐをプリンタ１の後面側へ搬送して排紙トレイ６上に排出させる搬送経路１７を有している。
搬送経路１７の途中には、用紙Ｐの搬送方向と直交する水平方向に延在する複数のガイド軸２１に沿って往復移動可能に設けられて、繰り出された用紙Ｐに文字や画像を印刷する記録ヘッド（記録処理部）２２が設けられている。
【００１８】
搬送経路１７は、記録ヘッド２２の上流側に設けられて用紙Ｐを挟持して記録ヘッド２２による印刷位置に搬送する搬送ローラ２３，２４と、記録ヘッド２２の下流側に設けられて記録ヘッド２２により印刷された用紙Ｐを挟持して排紙トレイ６に排出する排紙ローラ２５，２６とを有している。
【００１９】
次に、プリンタ１のカセット装填部１１に装填される用紙カセット５について説明する。
図３は用紙カセットの斜視図、図４は用紙カセットのプリンタへの装填方向に沿った断面図、図５は用紙カセットのプリンタへの装填方向と直交する方向に沿った断面図、図６は用紙カセットの平面図、図７はスライド蓋を開いた状態の用紙カセットの斜視図、図８は蓋部を開いた状態の用紙カセットの斜視図、図９は蓋部を開いた状態におけるプリンタへの装填方向と直交する方向に沿った用紙カセットの断面図である。
【００２０】
図３から図６に示すように、用紙カセット５は、カセット本体５１と、このカセット本体５１の上面側に取り付けられた蓋部５２とを有している。
カセット本体５１は、合成樹脂からなる一体成形品であり、上方が開放された凹状に形成され、その内部には、複数の用紙Ｐを積層させた状態に収容可能な収容空間Ｓが形成されている。カセット本体５１の収容空間Ｓには、プリンタ１への装填方向前方側に、外側へ向かって次第に上方へ傾斜した分離壁５３が形成されている。なお、この分離壁５３には、その表面に、高摩擦材が塗布あるいは貼付されている。
【００２１】
また、このカセット本体５１の収容空間Ｓ内には、プリンタ１への装填方向後方側及び一側部側に、スライドガイド５４，５５がスライド可能に設けられており、これらスライドガイド５４，５５をスライドさせることにより、用紙Ｐのサイズに応じて収容空間Ｓにおける用紙Ｐの収容領域の大きさを調整・変更することができるようになっている。
カセット本体５１には、その上部における両側部に、側壁５６，５７が形成されており、一方の側壁５６の両端における側壁５６とカセット本体５１の上面との隅部には、孔部５８を有する支持片５９が形成されている。
【００２２】
蓋部５２は、蓋本体６１と、スライド蓋６２とを有している。蓋本体６１は、上面板部６３を有しており、この上面板部６３には、その両側部に、下方へ屈曲し、さらに互いに近接する方向へ屈曲してコ字状に形成することにより、スライド溝６４が形成されている。そして、このスライド溝６４内に、板状に形成されたスライド蓋６２が前後方向へスライド可能に保持されている。
また、上面板部６３の後端には、下方へ屈曲された後面板部６５が形成されており、この後面板部６５とスライド蓋６２との間におけるスライド溝６４内には、付勢部材である２つの巻バネ６６が設けられている。これにより、スライド溝６４にスライド可能に保持されたスライド蓋６２は、巻バネ６６によってカセット装填部１１への装填方向前方側へ付勢されている。
【００２３】
蓋本体６１には、上面板部６３の前方側を切り欠くことにより、開閉口６７が形成されており、この開閉口６７は、巻バネ６６によって装填方向前方へ付勢されたスライド蓋６２によって閉鎖されている。
そして、この開閉口６７は、図７に示すように、巻バネ６６の付勢力に抗してスライド蓋６２を装填方向後方側へスライドさせることにより開かれ、カセット本体５１の収容空間Ｓの前方側の一部が露出される。
【００２４】
この蓋部５２には、蓋本体６１の一側部側における前後の両端に、係合ピン６８が形成されており、これら係合ピン６８は、カセット本体５１に形成された支持片５９の孔部５８に係合されている。これにより、蓋部５２の蓋本体６１は、その一辺が支持片５９の孔部５８と係合ピン６８とが係合したカセット本体５１の一側部を中心として、カセット本体５１に対して回動可能に連結されている。
【００２５】
そして、図８及び図９に示すように、カセット本体５１に対して蓋部５２を回動させることにより、カセット本体５１の上部が開かれ、カセット本体５１内の収容空間Ｓの全体が露出される。
なお、蓋部５２を構成する蓋本体６１及びスライド蓋６２は、カセット本体５１側の面に、例えば、発泡材等からなる図示しない断熱シートが貼付されている。
【００２６】
次に、上記構造の用紙カセット５に用紙Ｐを収容させてプリンタ１によって印刷を施す場合について説明する。
【００２７】
（用紙の収容）
用紙カセット５に用紙Ｐを収容する場合は、まず、カセット本体５１に対して蓋部５２を回動させ、カセット本体５１の上部を開き、カセット本体５１内の収容空間Ｓを露出させる。
この状態にて、スライドガイド５４，５５をスライドさせ、収容空間Ｓにおける用紙Ｐの収容領域の大きさを収容する用紙Ｐのサイズに合わせる。
その後、収容空間Ｓ内に用紙Ｐを積層させた状態に収容し、蓋部５２を逆方向へ回動させ、カセット本体５１の上部を閉じ、収容空間Ｓを閉鎖させる。
【００２８】
（用紙カセットの装填）
用紙Ｐを収容させた用紙カセット５を、プリンタ１のカセット装填部１１に差し込む。このようにすると、図２に示すように、プリンタ１側に設けられた係合片７１が用紙カセット５の蓋部５２を構成するスライド蓋６２の先端部に係合する。これにより、プリンタ１のカセット装填部１１へ用紙カセット５を差し込むことにより、スライド蓋６２が巻バネ６６の付勢力に抗して後方側へスライドされる。
すると、用紙カセット５の蓋部５２では、スライド蓋６２のスライドにより、開閉口６７が開かれ、プリンタ１内にてカセット本体５１の収容空間Ｓの前方側の一部が露出される。
【００２９】
また、このように、プリンタ１のカセット装填部１１に用紙カセット５を差し込んで装填すると、蓋部５２の上方にプリンタ１のカセット装填部１１の縁部が配置される。これにより、万一、蓋部５２を回動させてカセット本体５１の上部を開こうとしても、蓋部５２がカセット装填部１１の縁部に係合するため、不用意にカセット本体５１の上部が開かれて収容空間Ｓが露出されるような不具合が防止される。
【００３０】
（印刷処理）
この状態にて、印刷処理が開始されると、ピックアップローラ１３が下方へ移動して回転することにより、積層された用紙Ｐの最上部のものに接触し、最上部の用紙Ｐが送り出される。
この用紙Ｐは、分離壁５３によって下方側の用紙Ｐと確実に分離されて送り出され、給紙ローラ１４及びリタードローラ１５によって搬送経路１７へ送り出される。
その後、この用紙Ｐは、搬送ローラ２３，２４に挟持されて搬送経路１７に沿って搬送され、記録ヘッド２２に対する用紙Ｐの位置決めが行われ、用紙Ｐの幅方向である副走査方向へ移動しながら吐出ノズルからインクを吐出する記録ヘッド２２によって用紙Ｐへの印刷が行われる。そして、この用紙Ｐは、その先端が給紙ローラ２５，２６に挟持されて排紙トレイ６へ向かって搬送され、排紙トレイ６へ排出される。
【００３１】
（用紙カセットの取り外し）
印刷終了後、用紙カセット５をプリンタ１のカセット装填部１１から引き抜くと、プリンタ１側に設けられた係合片７１のスライド蓋６２への係合が解除される。これにより、スライド蓋６２は、用紙カセット５をカセット装填部１１から引き抜くにしたがって、巻バネ６６の付勢力によって前方側へスライドされる。
これにより、カセット装填部１１から引き抜かれた用紙カセット５は、その開閉口６７がスライド蓋６２によって確実に閉鎖され、カセット本体５１内の収容空間Ｓ内に収容された用紙Ｐの外部への露出が防止される。
【００３２】
以上、説明したように、上記実施形態に係るカセット及びプリンタからなる記録装置によれば、カセット本体５１の上部を覆う蓋部５２によって用紙Ｐの収容空間Ｓが閉鎖されるので、温度や湿気などの外部環境による用紙Ｐへの影響や塵埃などの異物の侵入を極力抑えることができ、用紙Ｐの変質や侵入した異物による搬送不良や記録処理不良をなくし、印刷処理を円滑かつ良好に行うことができる。
また、蓋部５２は、その蓋本体６１の一辺がカセット本体５１に対して回動可能に連結されているので、カセット本体５１に対して蓋本体６１を回動させて収容空間Ｓを開放させることにより、収容空間Ｓ内への用紙Ｐの収容作業を容易に行うことができ、また、蓋部５２がカセット本体５１に連結されているので、蓋部５２の紛失を防ぐことができる。
【００３３】
さらに、蓋部５２は、プリンタ１のカセット装填部１１への装填時にプリンタ１の係合片７１に係合して蓋本体６１に対してカセット装填部１１への装填方向後方側へスライド可能なスライド蓋６２を有するので、プリンタ１への装填時にのみスライド蓋６２をスライドさせて収容空間Ｓを露出させ、プリンタ１から取り外した保管時における収容空間Ｓの開放による用紙Ｐの露出を防止することができ、外部環境による用紙Ｐへの影響を確実に抑えることができる。
【００３４】
しかも、スライド蓋６２がプリンタ１の係合片７１に係合してスライドされる構造とされ、このスライド蓋６２の開閉時に、スライド蓋６２がカセット本体５１に干渉することがないので、スライド蓋６２の開閉によりカセット本体５１が損傷することがなく、したがって、カセット本体５１の損傷による用紙Ｐの送り出し不良を防止することができる。
【００３５】
また、カセット装填部１１からの取り外しによってスライド蓋６２が巻バネ６６によって装填方向前方側へスライドされるので、カセット装填部１１から取り外した状態にて、カセット本体５１の収容空間Ｓを確実に閉鎖することができる。
しかも、巻バネ６６の付勢力によってスライド蓋６２の閉鎖状態を維持させることができるので、磨耗し易いフックなどを備えた複雑構造のロック機構を不要とすることができ、耐久性に優れたものとすることができる。
【００３６】
さらに、カセット装填部１１への装填状態にて蓋部５２の回動が規制されるので、印刷処理動作中における用紙Ｐの継ぎ足しなどによって生じる用紙Ｐの搬送不良や印刷処理不良を確実に防止することができる。
また、蓋部５２を構成する蓋本体６１及びスライド蓋６２に断熱シートを貼付することにより、蓋部５１に断熱性を持たせているので、特に保管時に外部環境の影響を受け易い積層状態における最上部の用紙Ｐを良好に保護することができる。
【００３７】
また、蓋部５２を回動させてカセット本体５１の上部を開放させた状態にて、スライドガイド５４，５５を操作することにより、用紙Ｐのサイズに合わせて収容空間Ｓにおける用紙Ｐの収容領域を容易に調整・変更することができる。
これにより、サイズの異なる各種の用紙Ｐに容易に適用させることができ、汎用性を高めることができる。
【００３８】
ここで、図１０に示すものは、複数のスライド蓋６２ａ，６２ｂ，６２ｃ…６２ｎを有する蓋部５２を備えた用紙カセット７５である。この用紙カセット７５では、先端のスライド蓋６２ａを除いた各スライド蓋６２ｂ，６２ｃ…６２ｎに対して前方側のスライド蓋６２ａ，６２ｂ…６２ｎ−１がスライド可能とされ、先端のスライド蓋６２を除いた各スライド蓋６２ｂ，６２ｃ…６２ｎ内に、前方側のスライド蓋６２ａ，６２ｂ…６２ｎ−１をカセット装填部１１への装填方向前方へ付勢する巻バネ６６が設けられている。また、後端のスライド蓋６２ｎは蓋本体６１に対してスライド可能とされ、この後端のスライド蓋６２ｎは、蓋本体６１内の巻バネ６６によって前方へ付勢されている。
【００３９】
このように、複数のスライド蓋６２ａ，６２ｂ，６２ｃ…６２ｎを備えた用紙カセット７５では、プリンタ１のカセット装填部１１への差し込みにともなって、スライド蓋６２ａ，６２ｂ，６２ｃ…６２ｎが、その前方側のものから順に後方へスライドされ、プリンタ１内にてカセット本体５１内の収容空間Ｓ内の用紙Ｐが露出される。
【００４０】
そして、この用紙カセット７５によれば、複数のスライド蓋６２ａ，６２ｂ，６２ｃ…６２ｎが順にスライドする構造であるので、カセット本体５１の収容空間Ｓの開閉を容易に行わせることができ、また、スライド蓋６２ａ，６２ｂ，６２ｃ…６２ｎを複数の巻バネ６６によって付勢する構造であるので、全体の付勢力を低減させ、スライド蓋６２ａ，６２ｂ，６２ｃ…６２ｎの装填方向後方へのスライドのさらなる容易化を図ることができる。
【００４１】
また、図１１に示すものは、カセット本体５１の後端が伸縮可能とされて内部の収容空間Ｓの長さ方向の寸法がさらに増減可能とされた用紙カセット８５である。そして、このようにカセット本体５１の後端が伸縮する用紙カセット８５では、蓋部５２を構成する蓋本体６１の後方側に後方スライド蓋８６が設けられている。この後方スライド蓋８６は、その後端がカセット本体５１の後端に係合可能とされており、この後方スライド蓋８６は、カセット本体５１の伸縮にともなってスライドされる。
【００４２】
つまり、この用紙カセット５では、カセット本体５１を伸縮させて用紙Ｐの収容空間Ｓを大きく増減させることができ、サイズの異なる各種の用紙Ｐに対する適用性をさらに高めることができる。
しかも、カセット本体５１の伸縮に関わらずカセット本体５１の後方側における上方を蓋部５２の後方スライド蓋８６によって確実に閉鎖した状態に維持することができ、外部環境の影響を抑えることができる。
【００４３】
なお、上記実施形態では、スライド蓋６２，６２ａ，６２ｂ，６２ｃ…６２ｎを巻バネ６６によって付勢したが、これらスライド蓋６２，６２ａ，６２ｂ，６２ｃ…６２ｎを付勢する付勢部材としては巻バネに限定されず、例えば、コイルバネなどの各種の弾性部材を用いることができる。
また、上記実施形態では、記録装置として、インクジェットプリンタを例にとって説明したが、本発明は、インクジェットタイプに限定されず、例えば、ドットインパクトプリンタにも適用でき、さらには、プリンタ以外にも、例えば複写機あるいはファクシミリ等にも適用できる。
【００４４】
また、上記実施形態では、シート状の媒体として、用紙を例にとって説明したが、本発明は、樹脂製のフィルム等からなる媒体も適用可能である。
【図面の簡単な説明】
【００４５】
【図１】本発明に係るプリンタの実施形態の外観斜視図である。
【図２】図１に示したプリンタの内部を概略的に示す側断面図である。
【図３】用紙カセットの斜視図である。
【図４】用紙カセットのプリンタへの装填方向に沿った断面図である。
【図５】用紙カセットのプリンタへの装填方向と直交する方向に沿った断面図である。
【図６】用紙カセットの平面図である。
【図７】スライド蓋を開いた状態の用紙カセットの斜視図である。
【図８】蓋部を開いた状態の用紙カセットの斜視図である。
【図９】蓋部を開いた状態におけるプリンタへの装填方向と直交する方向に沿った用紙カセットの断面図である。
【図１０】他の構造の用紙カセットのプリンタへの装填方向に沿った概略断面図である。
【図１１】他の構造の用紙カセットを示す斜視図である。
【符号の説明】
【００４６】
１…プリンタ（記録装置）、５，７５，８５…用紙カセット（カセット）、１１…カセット装填部（装填部）、１３…ピックアップローラ（給紙機構）、１４…給紙ローラ（給紙機構）、１５…リタードローラ（給紙機構）、２２…記録ヘッド（記録処理部）、５１…カセット本体、５２…蓋部、５４，５５…スライドガイド、６１…蓋本体、６２，６２ａ，６２ｂ，６２ｃ…６２ｎ…スライド蓋、６６…巻バネ（付勢部材）、８６…後方スライド蓋、Ｐ…用紙（媒体）、Ｓ…収容空間。
【図１】
2008063030.tif 000003
【図２】
2008063030.tif 000004
【図３】
2008063030.tif 000005
【図４】
2008063030.tif 000006
【図５】
2008063030.tif 000007
【図６】
2008063030.tif 000008
【図７】
2008063030.tif 000009
【図８】
2008063030.tif 000010
【図９】
2008063030.tif 000011
【図１０】
2008063030.tif 000012
【図１１】
2008063030.tif 000013